(57)【要約】本主題は、内視鏡と共に使用される組織除去ツールを開示する。ツールは、一本のワイヤで形成され、開放位置と閉鎖位置との間を移動可能なループと、伝達アセンブリと、を備え、伝達アセンブリは、ハンドルと、リンクとを備え、リンクは、ハンドルに取り付けられた第１端と、ループに取り付けられた第２端と、を備え、ループ部分は、ハンドルの動作により、開放位置と閉鎖位置との間を移動可能であり、ループは、近位部と、遠位部とにより、開放位置で規定され、ループの最大幅部は、ループの長さの中間点よりもループの近位端に近い。
2020503941.tif 000002
【特許請求の範囲】
【請求項１】
内視鏡と共に使用するための組織除去ツールであって、
一本のワイヤで形成され、開放位置と閉鎖位置との間を移動可能なループと、
伝達アセンブリと、を備え、
前記伝達アセンブリは、ハンドルと、リンクとを備え、
前記リンクは、前記ハンドルに取り付けられた第１端と、前記ループに取り付けられた第２端と、を備え、前記ループ部分は、前記ハンドルの動作により、前記開放位置と前記閉鎖位置との間を移動可能であり、
前記ループは、近位部と、遠位部とにより、前記開放位置で規定され、
前記ループの前記最大幅部は、前記ループの前記長さの前記中間点よりも前記ループの近位端に近いことを特徴とする。
【請求項２】
請求項１に記載の組織除去ツールであって、前記ループの前記長さの前記中間点から前記ループの前記最大幅部までの距離は、前記長さの約３％〜４５％であることを特徴とする。
【請求項３】
請求項２に記載の組織除去ツールであって、前記ループの前記長さの前記中間点から前記ループの前記最大幅部までの距離は、前記長さの約１０％〜３５％であることを特徴とする。
【請求項４】
請求項３に記載の組織除去ツールであって、前記ループの前記長さの前記中間点から前記ループの前記最大幅部までの前記距離は、前記長さの約１２％〜２５％であることを特徴とする。
【請求項５】
請求項１に記載の組織除去ツールであって、支持アセンブリを更に備え、前記支持アセンブリは、基体と、細長い管状部材とを備え、前記ハンドルは、前記基体に対して移動可能であり、前記リンクは、前記管状部材の少なくとも一部を通って延びていることを特徴とする。
【請求項６】
内視鏡と共に使用するための組織除去ツールであって、
一本のワイヤで形成され、開放位置と閉鎖位置との間を移動可能なループと、
伝達アセンブリと、前記伝達アセンブリは、ハンドルと、リンクとを備え、前記リンクは、前記ハンドルに取り付けられた第１端と、前記ループに取り付けられた第２端と、を有し、前記ループ部分は、前記ハンドルの動作により、前記開放位置と前記閉鎖位置との間を移動可能であり、
少なくとも前記ループの前記遠位部に配置された切除部と、を備え、
前記ループは、近位部と、遠位部とにより、前記開放位置で規定され、
前記ループの前記最大幅部は、前記ループの前記長さの前記中間点よりも前記ループの近位端に近いことを特徴とする。
【請求項７】
請求項６に記載の組織除去ツールであって、前記切除部は、前記ループの前記遠位部において、前記ループの約１／３〜１／２を含むことを特徴とする。
【請求項８】
請求項６に記載の組織除去ツールであって、前記切除部は、前記ループの前記遠位端から両方向へ約５ｍｍ〜１５ｍｍ延びていることを特徴とする。
【請求項９】
請求項８に記載の組織除去ツールであって、前記切除部は、前記ループの前記遠位端から両方向へ約１０ｍｍ延びていることを特徴とする。
【請求項１０】
請求項６に記載の組織除去ツールであって、前記切除部は、０．３６ｍｍ以下の直径を有することを特徴とする。
【請求項１１】
請求項６に記載の組織除去ツールであって、前記切除部は、０．３０ｍｍ以下の直径を有することを特徴とする。
【請求項１２】
請求項６に記載の組織除去ツールであって、前記ループの前記近位部は、フラットワイヤ又はコイン形状ケーブルを備え、前記切除部は、前記近位部よりも細いワイヤを備えることを特徴とする。
【請求項１３】
請求項６に記載の組織除去ツールであって、前記切除部は、別の非切除スネアワイヤに配置された切除ブレードを備えることを特徴とする。
【請求項１４】
請求項６に記載の組織除去ツールであって、前記ループは、内側ループと、外側ループとを備え、前記内側ループは、少なくとも１つの位置において、前記外側ループに固定されており、前記内側ループは、前記外側ループよりも細いことを特徴とする。
【請求項１５】
請求項１４に記載の組織除去ツールであって、前記内側ループは、前記ループの前記遠位部のみを含むことを特徴とする。
【請求項１６】
請求項１４に記載の組織除去ツールであって、前記内側ループは、実質的に、前記ループの全体を含むことを特徴とする。
【請求項１７】
請求項１４に記載の組織除去ツールであって、前記内側ループは、円形の断面を有することを特徴とする。
【請求項１８】
請求項１４に記載の組織除去ツールであって、前記内側ループは、フラット又は四角ワイヤであることを特徴とする。
【請求項１９】
請求項６に記載の組織除去ツールであって、前記ループは、テーパー形状又はグラウンドワイヤを備え、前記近位部は、前記遠位部よりも太いことを特徴とする。
【請求項２０】
請求項６に記載の組織除去ツールであって、前記ループは、コイン形状近位部及び非コイン形状遠位部を有するケーブル又はモノフィラメントスネアを備えることを特徴とする。
【請求項２１】
請求項６に記載の組織除去ツールであって、前記ループは、コイン形状遠位部及びコイン形状若しくは非コイン形状近位部を有するワイヤであり、前記コイン形状遠位部は、切除動作をもたらす鋭い内側端を形成することを特徴とする。
【請求項２２】
請求項６に記載の組織除去ツールであって、前記ループは、様々な位置においてコイン形状であることを特徴とする。
【請求項２３】
請求項２２に記載の組織除去ツールであって、前記コイン形状位置は、前記ループの中心線に対して対称であることを特徴とする。
【請求項２４】
請求項６に記載の組織除去ツールであって、前記切除部は、小孔を有する切除エレメントであり、前記小孔は、前記ワイヤがスライドするように構成されていることを特徴とする。
【請求項２５】
請求項６に記載の組織除去ツールであって、前記ループは、ねじれ先端を有する中実の矩形ワイヤフィラメントループであることを特徴とする。
【発明の詳細な説明】
【技術分野】
【０００１】
（関連出願の相互参照）
本発明は、２０１７年１月９日に出願された、「回収装置（RETRIEVAL DEVICE）」に係る米国仮特許出願第６２／４４４，１４４号の利益を主張するものであり、その全ての開示は参照により本明細書に組み込まれる。
【０００２】
本主題は、内視鏡用スネアに関する。
【背景技術】
【０００３】
ポリープ切除又はポリープ除去は、今日、消化器内視鏡検査において、最も一般的な内視鏡処置の一つとなっている。その相対的な単純性は、しばしば、大腸癌の予防における処置の有効性と矛盾する。全米ポリープ研究(The National Polyp Study (NPS))は、大腸内視鏡ポリープ切除後、大腸癌の発生率が７６％〜９０％減少することを証明した。ポリープ切除のための通常の方法は、電気焼灼又はホットスネアを使用していた。電気焼灼又はホットスネアは、電流による凝固作用により、出血の危険性を減らす。しかしながら、電気焼灼は、不注意により、健康な組織を損傷させることもあり、出血の危険性がない小さなポリープには必要ない可能性がある。
【０００４】
ユナイテッドステイツエンドスコピーグループ社のExacto（商標登録）スネアのようなコールドスネアは、小さいポリープに対するポリープ切除処置のために設計されている。コールドスネアは、切除部位からのポリープの散乱を減らすきれいな切除を可能にする。Exacto（商標登録）スネアと、ホットスネアとを比較した研究によると、３〜８ｍｍの範囲の小さなポリープでは、ポリープ切除後の出血には差がなく、Exacto（商標登録）スネアは、安全且つ効果的であると同時に、ホットスネアよりも使用時間が短い。
【発明の概要】
【０００５】
本主題は、内視鏡と共に使用される組織除去ツールについて記載する。ツールは、一本のワイヤで形成され、開放位置と閉鎖位置との間を移動可能なループと、伝達アセンブリと、を備え、伝達アセンブリは、ハンドルと、リンクとを備え、リンクは、ハンドルに取り付けられた第１端と、ループに取り付けられた第２端と、を備え、ループ部分は、ハンドルの動作により、開放位置と閉鎖位置との間を移動可能であり、ループは、近位部と、遠位部とにより、開放位置で規定され、ループの最大幅部は、ループの長さの中間点よりもループの近位端に近い。
【０００６】
本主題は、さらに、ループの遠位部に沿って配置された切除部を有する組織除去ツールについて記載する。
【０００７】
一般的な発明の概念の特徴と利点とは、添付図面を参照してなされる以下の詳細な説明から明らかになるであろう。
【図面の簡単な説明】
【０００８】
【図１】図１は、回収装置の概略図であり、開放位置におけるスネアを示す。
【図２】図２は、図１の回収装置の一部の拡大断面図であり、導管内での閉鎖位置におけるスネアを示す。
【図３】図３は、一般的なケーブル形状デザインを有するループの実施例を示す。
【図４】図４は、一般的なものモノフィラメント形状デザインを有するループの実施例を示す。
【図５】図５は、別々のワイヤで形成された近位部と、遠位切除部とを有するループの第１実施例を示す。
【図６ａ】図６ａは、ミクロトーム又は切除エレメントを有するループの第２実施例を示す。
【図６ｂ】図６ｂは、ミクロトーム又は切除エレメントを有するループの第２実施例を示す。
【図７】図７は、ねじれ先端を有するループの第３実施例を示す。
【図８ａ】図８ａは、別々のループエレメントを有する第４実施例を示す。
【図８ｂ】図８ｂは、別々のループエレメントを有する第４実施例を示す。
【図８ｃ】図８ｃは、別々のループエレメントを有する第４実施例を示す。
【図９ａ】図９ａは、テーパー形状又はグランド部を有するループの第５実施例を示す。
【図９ｂ】図９ｂは、テーパー形状又はグランド部を有するループの第５実施例を示す。
【図１０】図１０は、コイン形状(coined)近位部を有するループの第６実施例を示す。
【図１１】図１１は、コイン形状又は非コイン形状(non-coined)近位部と、コイン形状遠位部とを有するループの第７実施例を示す。
【図１２ａ】図１２ａは、複数のコイン部分を有するループの第８実施例を示す。
【図１２ｂ】図１２ｂは、複数のコイン部分を有するループの第８実施例を示す。
【図１３】図１３は、切除エレメントを取り付けるための方法を示すループの第９実施例を示す。
【図１４】図１４は、ループを詳述するループの別の実施例を示す。
【発明を実施するための形態】
【０００９】
この詳細な説明は、一般的な発明の概念に従って例示的な実施例を単に説明するものであり、発明の範囲又は特許請求の範囲を限定することを意図するものではない。実際、特許請求の範囲に記載した発明は、本明細書に記載した例示的な実施例よりも広く、実施例に限定されるものではない。また、特許請求の範囲に使用する用語は、当該用語の通常の意味を有する。
【００１０】
本発明の例示的な実施例を参照しながら、一般的な発明の概念を説明する。しかしながら、この一般的な発明の概念は、異なる形態で具体化されてもよく、本明細書に記載した実施例に限定解釈されるべきではない。本開示が十分かつ完全であり、一般的な発明の概念の範囲を当業者に十分に伝えるように実施例を提示する。
【００１１】
特に定義しない限り、本明細書で使用する全ての技術的且つ科学的な用語は、一般的な発明の概念を包含する技術における通常の知識を有する者によって一般的に理解されるものと同一の意味を有する。詳細な説明に記載している用語は、特定の実施例を説明するためだけのものであり、一般的な発明の概念を限定することを意図するものではない。詳細な説明及び特許請求の範囲で使用しているように、単数形「ａ」、「ａｎ」及び「ｔｈｅ」は、文脈において明示しない限り、複数形を含むことを意図している。
【００１２】
本明細書及び特許請求の範囲に使用する全ての数、例えば、大きさ及び物理的特徴を表す数は、他に記載しない限り、全ての例において、「約」という用語により修正され得ると理解されたい。従って、特に明記しない限り、本明細書及び特許請求の範囲の記載の数値は、本発明の実施例において得られる適切な特性に応じて変動する近似値である。広い範囲の一般的な発明の概念を説明する数値範囲及びパラメータは近似値であるが、特定の実施例に記載した数値は可能な限り正確に記載している。しかしながら、いずれの数値も、各々の測定において発見される誤差から必然的に生じる特定の誤差を本質的に含んでいる。
【００１３】
本出願は、内視鏡と共に使用される組織除去ツールについて記載する。組織除去ツールは、一本のワイヤで形成され、開放位置と閉鎖位置との間を移動可能なループと、ハンドルと、ハンドルに取り付けられた第１端と、ループに取り付けられた第２端とを有するリンクと、を備え、ループは、ハンドルの動作により、開放位置と閉鎖位置との間で移動可能であり、ループは、近位部及び遠位部により、開放位置で規定される。
【００１４】
図１を参照すると、例示的なツール１０は、一本のワイヤ１４で形成されたループ１２を有する。例えば、ステンレス、ニチロールのような金属、プラスチック若しくはカーボンナノチューブ、ガラス繊維、又は、ハイブリッド技術のような任意の適切な材料のワイヤを使用して、ループを形成することができる。モノフィラメント又はケーブルにより、ループを形成することもできる。予備形成されたワイヤを所望の形状及び向きに機械的に曲げる又はねじることにより、ワイヤの長さに沿ったワイヤの向き及び形状を変化させることができる、又は、予備形成されたプラスチック部品のように、所望の形状及び向きを有するように、最初からワイヤを製造することもできる。適切な材料は、柔軟性があり、ループの展開及び回収を可能にする記憶材料である。ワイヤは、耐圧潰性屈曲部により分離された複数のセグメントを形成し、ループの開口部を規定する。ループは、開放位置又は展開位置と、閉鎖位置又は回収位置との間で移動可能である。ループ１２は、図１では、開放位置において示されている。ループは多角形であり、特に、ループは、通常、ひし形である。図２では、ループ１２は、ツール１０の遠位部内で閉鎖位置において示されている。本明細書において記載されている通り、ループ１２は導管１８内にある。この閉鎖位置又は回収位置において、例示的なループは長さＬ１を有する。
【００１５】
ツールは、支持アセンブリと、開放位置と閉鎖位置との間でループを移動させるための伝達システムとを有することもできる。図１に示された例示的なツール１０では、支持アセンブリは、基体又は本体１６及び細長い中空管と、管状部材又は導管１８とを有する。伝達アセンブリは、本体１６とリンク２２とに対して移動可能なハンドル２０を有する。リンクの一端はハンドルに固定され、第２端は本体から離れている。図１、２に示されたように、リンク２２は、実質的に、導管１８の長さにわたって延びている。導管１８を任意の適切な小径のチューブとすることができる。このチューブは、低摩擦可撓性材料で形成されている。この材料は、例えば、ポリテトラフルオロエチレン、高密度ポリエチレン、ポリエーテルブロックアミド、又は、他の類似の材料である。導管１８は、図２に示されたように、遠位第２端２８に開口部を有する内腔を規定する。図２は、ツール１０の遠位部の断面図である。導管の近位第１端３０は、本体１６に固定されている。
【００１６】
オペレータは、ハンドルにより、図１に示された展開位置と、図２に示された閉鎖位置との間でループを前後に動かすことができる。図１を再度参照すると、本体１６は、近位端に固定リング２４を有する。オペレータは、ハンドル２０を用いて、特に、２つのリング２６ａ、２６ｂの一方又は両方を用いて、本体１６に対してハンドル２０をスライドさせることができる。ハンドル２０は、本体１６の細長い部分に取り付けられており、本体に対して、方向Ｄ１へ移動可能であり、ループを展開し、反対方向Ｄ２へ移動可能であり、ループ１２を閉鎖する。例えば、オペレータは、指を各リング２６ａ、２６ｂに置くことができ、同じ手の親指を本体リング２４に置くことができる。方向Ｄ１へ２本の指を動かすことにより、オペレータは、本体１６に対してハンドル２０を移動させることができる。ハンドルのこの動きは、ループを展開する。反対に、親指に向かって指を引くことにより、反対方向Ｄ２へハンドル２０をスライドさせることができ、ループが閉鎖する。
【００１７】
リンク２２は、ハンドル２０に接続されており、ハンドル２０から装置の他の部分に軸方向の動きを伝達する。リンクを、任意の適切な剛性材料から構成することもでき、中実、中空、又は、任意の適切な細長い物体、又は、物体の組み合わせとすることもできる。リンクを１つの部品から形成することもでき、皮下チューブ、かしめ接続、及び、ケーブルのような一連の部品及び接続から形成することもできる。リンク２２は、ハンドル２０に固定された第１端と、本体１６から離れた第２端とを有する。図に示されたように、リンクは、実質的に、導管１８を通って延びている。
【００１８】
図３は、ケーブルコールド切除スネアループの一般的な形状を示す。図４は、モノフィラメントコールド切除スネアループの一般的な形状を示す。ループ１２は、遠位部１２０と、近位部１３０とを備える。ループは、ループ１２の遠位部１２０に沿った切除部１４０を備える。切除部１４０は、ループ１２のおよそ１／３〜１／２を含み、連続又は不連続とすることができる。実施例では、切除部１４０は、遠位端１５０から両方向へ約１〜５ｍｍ延びている。実施例では、切除部１４０は、遠位端１５０から両方向へ約５ｍｍ〜１５ｍｍ延びている。実施例では、切除部１４０は、遠位端１５０から両方向へ約１０ｍｍ延びている。実施例では、切除部１４０は、遠位端１５０から両方向へ約５ｍｍ〜１５ｍｍ延びている。組織に切除圧を付与するために、切除部１４０を十分に薄くする必要がある。切除部１４０は、０．３６ｍｍ以下の直径を有し、組織のコールド切除を可能にする。実施例では、直径は０．３０以下である。スネアが管状部材１８に後退すると、引張機構により、スネアの遠位部１２０で切除が行われる。後退中、変形しないように、ストレスを均等に散らすように、遠位端１５０を最適化することもできる。
【００１９】
ループ１２の近位部１３０は、通常、切除を行わないが、切除のために、組織を取り囲み、取り込むことを補助し、支持する。近位部の剛性を上げることにより、組織をより大きくへこませることができ、組織の取り込みを向上させることができる。より剛性の高い近位部１３０をループ１２の約１／３〜１／２とすることができる。近位部の剛性を、その長さに沿って、変えることができる。
【００２０】
図５に示す実施例では、近位部１３０は、フラットワイヤ又はコイン形状(coined)ケーブルを備える。切除部１４０は、通常、近位部１３０よりも細いワイヤを備える。溶接、接着、圧着、かしめ、はんだ付け、又は、当業者に知られた他の技術により、これらの分離部分を接合することもできる。
【００２１】
図６ａ及び６ｂに示された実施例では、切除部１４０は、他の非切除スネアワイヤに配置された切除ブレードを備える。
【００２２】
図７に示された実施例では、ループ１２は、その形状を維持するために、ねじれ先端１５０を有する中実の矩形ワイヤフィラメントループである。
【００２３】
図８ａ〜８ｃに示されたように、実施例では、ループ１２は、内側ループ１７０（例えば、切除部）と、外側ループ１６０とを備える。内側ループ１７０は、少なくとも１つの場所で、外側ループ１６０に接合（例えば、溶接、又は、他の公知の適切な接合方法）されている。内側ループ１７０は、コールド切除により有効なより細いワイヤを備える。外側ループ１６０は、内側ループ１７０よりも太くて硬い。外側ループ１６０により、ループ１２をへこませ、組織を取り入れることができる。実施例では、ループ１２の遠位／中位部において、切除が実際に行われることから、内側ループ１７０は、ループ１２の遠位／中位部のみを含む。実施例では、内側ループ１７０は、固定／製造をより有効にすることから、完全なループである。実施例では、内側ループ１７０は、円形断面を有する。実施例では、内側ループ１７０は、フラット又は四角ワイヤである。
【００２４】
図９ａ、９ｂに示された実施例では、ループ１２は、テーパー形状ワイヤ又はアースワイヤを備える。近位部１３０は、遠位部１２０よりも太い。ツールは、さらに、回転リンク２２のような、本体内でループ１２の位置決めを促進させる機構を備える。実施例では、リンク２２は、ループ１２の脚部よりも大幅に低いねじり剛性を有する。
【００２５】
図１０に示された実施例では、ループ１２は、コイン形状近位部１３０と、非コイン形状(non-coined)遠位部１２０とを有するケーブル又はモノフィラメントループを備える。
【００２６】
図１１に示された実施例では、ループ１２は、コイン形状遠位部１２０を有するケーブル又はモノフィラメントループを備える。コイン形状遠位部１２０は、切除動作を行う鋭い内側縁を形成する。実施例では、近位部を、遠位部に対する垂直面においてコイン形状とすることもできる。
【００２７】
図１２ａ、１２ｂに示された実施例では、ループ１２は、組織の切除又は把持に有効となるように、多くの場所１８０において、コイン形状とされている。ループは、いくつかの小さなレベルの断面の変化があり、少し長い断面を有し、ループの中心線（垂直及び水平）に対して対称又は非対称である。
【００２８】
図１３に示された実施例では、切除部は、小孔２００を有する切除エレメント１９０を備える。ワイヤは、小孔２００をスライドし、所定の位置において、圧着、溶接、接着、又は、他の方法で接合されている。小孔２００を、円形又は四角のような任意の開口とすることができる。
【００２９】
図４を参照すると、例示的なループ１２では、ワイヤは、遠位先端１５０で曲げられており、ねじれ先端、又は、約３６０°の円形先端を形成する。この先端により、スネアを介してストレスを消失させることができる。これは、ホットスネアに比べて比較的大きな力を使用することから、小さいスネアに特に重要である。これを容易にするための一つの特徴は、マルチフィラメントケーブルを使用することである。ケーブルのストランドは、互いに移動し、スネア本体により均等にストレスを分散させることができ、モノフィラメントワイヤと同じ効果を達成し、先端の切除厚を増加させることなく標準のねじれバネをまねたループを形成することができる。先端はループであり、簡単な曲げではないことから、閉鎖時、ストレスが全周にわたりより均等に分配され、プラスチック変形が最小限に抑えられる。
【００３０】
工具の遠位先端１５０は、別の形状を有することもできる。米国特許公開第２０１４／００５２１４２号及び米国特許公開第２０１５／００６６０４５号は、多数の遠位ループ又はコイル先端デザインを開示しており、これらの明細書に記載の内容は、本明細書に組み込まれる。ワイヤは、１８０°の曲げによるねじれ先端を形成することもできる。別の遠位先端では、１８０°の曲げ内のワイヤは、横向きでもよい。別の例示的な遠位先端では、ループは、２つの部分を有するワイヤにより形成されている。２つのワイヤ部分は、最遠位点において、損害を与えない先端を形成する。組み立てられたように、ワイヤ部分は、本明細書において記載されたように、同じ方法でループとして機能する。
【００３１】
本主題の別の面は、ループの新しい形を提供することである。図１４を参照すると、実施例では、ループ１５２は、最大幅部１６６と、近位端と遠位端との間で測定された長さＬと、を備える。近位端は、ループの物理的な接続とは無関係に、管状部材への取り込み中、ループの閉鎖が開始する場所で規定される。遠位端は、ループ１５２の最遠位端又は端で規定される。近位脚部が過剰に長い、及び／又は、遠位端が反対になる若しくは他の特別な形状の場合、中間点は、形状の広い部分に対してのみ考慮され、近位端と、遠位端との間で規定される。ループ１５２の最大幅部１６６は、ループ１５２の長さＬの中間点よりも管状部材１８に近接している。すなわち、最大幅部１６６は、ループ１５２の長さＬの中間点よりも管状部材１８に近い。その結果、処置中に、ループ１５２をより簡単に制御することができる。実施例では、ループ１５２の長さＬの中間点からループ１５２の最大幅部１６６までの距離Ｄは、長さＬの約３％〜４５％である。実施例では、ループ１５２の長さＬの中間点からループ１５２の最大幅部１６６までの距離Ｄは、長さＬの約１０％〜３５％である。実施例では、ループ１５２の長さＬの中間点からループ１５２の最大幅部１６６までの距離Ｄは、長さＬの約１２％〜２５％である。
【００３２】
上記したいくつか又は全ての特徴は、スネア針装置、マルチステージスネア、又は、内視鏡用回収装置のような任意の適切な内視鏡装置又は内視鏡装置の組み合わせに適用されることを理解されたい。
【００３３】
上記スネアの特徴は、コールド切除のために設計されているが、組織の収集及び切除に役立つ特徴を損なわずに、それらを、電気焼灼と共に使用することもできることは当業者であれば理解されたい。
【００３４】
本主題に記載された内視鏡装置が支持アセンブリ（基体及び細長い管状部材）及び／又は伝達アセンブリ（ハンドル及びリンク）を備える必要がないことは当業者であれば理解されたい。ハンドルを、ループの近位端により形成することができ、又は、ループの近位端に接続することができる。
【００３５】
以上、一般的な発明の概念に係る種々の態様や概念や特徴について、複数の例示的な実施例を用いて説明・図示したが、これらの態様や概念や特徴は、代替例においても、それぞれ個別又は組合せて適用可能である。本開示において特別に除外するものでない限り、あらゆる組み合わせが、一般的な発明の概念に範囲に含まれる。また、本発明の種々の態様や概念や特徴（例えば、代替物質・構成・構造・方法・回路・装置・部品、又は他の形成方法、組立方法、機能の実現方法）を有する代替例についても触れたが、これらの記載には、現在又は将来において本実施例を実現可能な代替例を限定する意図は一切ない。また、当業者であれば、仮に本願に明記したものでなくとも、本開示の発明の態様や特徴や概念の１つ又は複数を採用し、一般的な発明の概念の範囲内においてこれを利用することもできるであろう。さらに、いくつかの態様、概念及び特徴にあっては、本開示において好適な構成や方法として記載されていたかもしれないが、かかる記載は、明示のない限り、そのような特徴が必須であると提案するものではない。さらに、本開示の理解を助けるために一例となる又は代表的な数値や範囲を示したが、かかる数値や範囲は、明示のない限り、限定的なものでなく、かつ、重要なものを示しているわけでもない。さらに、本開示においては、発明又は発明の一部を構成するものとして種々の態様や概念や特徴について特定したかもしれないが、かかる特定に排他的な意図ではなく、本発明を構成する一部として、その態様や概念や特徴を十分に説明するためのものに過ぎない。加えて、例示した方法やプロセスは、明示のない限り、これらの処理のステップを常に必要なものとして含めるよう限定するものではなく、また、ここで示す処理の順番に限定するものでもない。
【図１】
2020503941.tif 000003
【図２】
2020503941.tif 000004
【図３】
2020503941.tif 000005
【図４】
2020503941.tif 000006
【図５】
2020503941.tif 000007
【図６ａ】
2020503941.tif 000008
【図６ｂ】
2020503941.tif 000009
【図７】
2020503941.tif 000010
【図８ａ】
2020503941.tif 000011
【図８ｂ】
2020503941.tif 000012
【図８ｃ】
2020503941.tif 000013
【図９ａ】
2020503941.tif 000014
【図９ｂ】
2020503941.tif 000015
【図１０】
2020503941.tif 000016
【図１１】
2020503941.tif 000017
【図１２ａ】
2020503941.tif 000018
【図１２ｂ】
2020503941.tif 000019
【図１３】
2020503941.tif 000020
【図１４】
2020503941.tif 000021
【国際調査報告】
2020503941.tif 000022